(57)【要約】【課題】  地震等による目地の急激な開きにも対応して遮水状態を維持することのできるケーソンの目地シール材を提供する。【解決手段】  目地シール材１０は、筒状本体１１に、碇着部１２と連結止水板部１３とを備えており、一方のケーソン１の外面１Ｂに近い端面１Ａにその碇着部１２で固定されると共に、連結止水板部１３の先端縁が他方のケーソン１′の側面１Ｂ′に固定されて、目地部２に装着されるように構成されている。【選択図】  図２
2005200826.tif 000002
【特許請求の範囲】
【請求項１】
隣接するケーソンの端面間に配設され、内部に中詰材が充填されることで膨出して前記端面間をシールするものであって、
柔軟性を有する材料から成る下端部が閉じた中空長筒状の筒状本体に、一方のケーソンの端面に締着される碇着部と、所定の弛みを持って他方のケーソンの外面に水密的に締着される連結止水板部とが、それぞれ長手方向に沿って設けられて構成されていることを特徴とするケーソンの目地シール材。
【請求項２】
上記碇着部は上記筒状本体の左右両側に所定の幅の板状に張り出して前記筒状本体の両側で一方のケーソンの端面に締着されるように形成されると共に、前記連結止水板部は前記筒状本体の前記碇着部と対称位置に一方側方に所定幅で張り出してその先端縁部で他方のケーソンの外面に締着されるように形成されていることを特徴とする請求項１に記載のケーソンの目地シール材。
【請求項３】
上記連結止水板部の上記他方のケーソンと対向する側に、緩衝部材が設けられて構成されていることを特徴とする請求項１又は２に記載のケーソンの目地シール材。
【発明の詳細な説明】
【技術分野】
【０００１】
本発明は、海や湖等の埋め立てのためにケーソンによって護岸壁を構築する際に、隣接するケーソンの間隙を密封して水の流通や土砂の流出を防ぐ目地シール材に関する。
【背景技術】
【０００２】
海等を埋め立てる際、埋め立てるべき海面を囲んで複数のケーソンを直列に連続して沈設して護岸壁を構築し、この護岸壁に囲まれた海域に土砂等を搬入して埋め立てる工法が知られている。
【０００３】
このように、埋め立て地の護岸壁をケーソンによって構築する場合には、隣接するケーソンの間隙を介した土砂等の流出を防ぐためにケーソン間の目地をシール材等によって完全にシールする必要がある。
【０００４】
その際に用いられるシール材としては、特許文献１に開示のごとく、柔軟性を有する材料によって上端部が開口し下端部が閉じた中空長筒状に形成され、隣接するケーソンの一方の端面に装着されて、内部に砂，アスファルト，モルタル等の中詰材が注入充填されることによって膨出してその外表面が他方のケーソンの対向する端面に圧着するものがある。
【０００５】
また、このようなシール材を用いたシール部構造として、ケーソンの内外面近傍の目地にそれぞれシール材を配設すると共に、そのシール材の間の目地にアスファルトマスチック等の間詰材を充填したものがある。（特許文献２参照）
【特許文献１】特公平５−７４８６号公報
【特許文献２】特許第２６２８９２号公報
【発明の開示】
【発明が解決しようとする課題】
【０００６】
ところで、廃棄物の埋め立て処分場の護岸を上記のごときケーソンによって構築する場合には、廃棄物の有害成分の流出を完全に防ぐことのできる管理型護岸としなければならない。
【０００７】
しかしながら、上記従来のシール材及びシール部構造では、地震等によって隣接するケーソンが離間する側に相対変位してその目地が急激に開くと、それに対応することができずに隙間を生じ、遮水が不十分となる虞があるという問題があった。
【０００８】
本発明は、上記問題に鑑みてなされたものであって、地震等による目地の急激な開きにも対応して遮水状態を維持することのできるケーソンの目地シール材を提供することを目的とする。
【課題を解決するための手段】
【０００９】
上記目的を達成する請求項１に係る発明のケーソンの目地シール材は、隣接するケーソンの端面間に配設され、内部に中詰材が充填されることで膨出して前記端面間をシールするものであって、柔軟性を有する材料から成る下端部が閉じた中空長筒状の筒状本体に、一方のケーソンの端面に締着される碇着部と、所定の弛みを持って他方のケーソンの外面に水密的に締着される連結止水板部とが、それぞれ長手方向に沿って設けられて構成されていることを特徴とする。
【００１０】
この構成では、碇着部で一方のケーソンの端面に締着されると共に、連結止水板部で他方のケーソンの外面に水密的に締着されてケーソンの端面間（目地）に配設され、内部にアスファルトマスチック等の中詰材が充填されて膨出した筒状本体と、連結止水板部とが、それぞれ目地をシールする。連結止水板部は、目地の急激な開きにも装着時の弛みが伸展することで対応してシール状態を保つ。
【００１１】
また、請求項２に係る発明のケーソンの目地シール材は、上記碇着部は上記筒状本体の左右両側に所定の幅の板状に張り出して前記筒状本体の両側で一方のケーソンの端面に締着されるように形成されると共に、前記連結止水板部は前記筒状本体の前記碇着部と対称位置に一方側方に所定幅で張り出してその先端縁部で他方のケーソンの外面に締着されるように形成されていることを特徴とする。
【００１２】
この構成では、筒状本体の左右両側に張り出した碇着部で一方のケーソンの端面に締着され、筒状本体の碇着部と対称位置に一方側方に張り出した連結止水板部で他方のケーソンの外面に水密的に締着されてケーソンの端面間（目地）に配設され、内部にアスファルトマスチック等の中詰材が充填されて膨出した筒状本体と、連結止水板部とが、それぞれ目地をシールする。連結止水板部は、目地の急激な開きにも装着時の弛みが伸展することで対応してシール状態を保つと共に、筒状本体の目地の開きへの追随を促すように作用する。
【００１３】
更に、請求項３に係る発明のケーソンの目地シール材は、上記連結止水板部の上記他方のケーソンと対向する側に、緩衝部材が設けられて構成されていることを特徴とする。
【００１４】
この構成では、緩衝部材が連結止水板部と他方のケーソンとの間に介在し、連結止水板部の弛みを形成すると共に連結止水板部のケーソンとの接触破損を防ぐように作用する。
【発明の効果】
【００１５】
請求項１に係る発明のケーソンの目地シール材によれば、内部に中詰材が充填されて膨出した筒状本体と、所定の弛みを持って他方のケーソンの外面に水密的に締着された連結止水板部とが、目地を二重にシールすると共に、地震等による目地の急激な開きに対しては連結止水板部が伸展することで対応してシール状態を保つため、遮水状態を維持することができる。
【００１６】
また、請求項２に係る発明のケーソンの目地シール材によれば、筒状本体の左右両側に張り出した碇着部で一方のケーソンの端面に強固に締着され、筒状本体の碇着部と対称位置に一方側方に張り出した連結止水板部は所定の弛みを持って他方のケーソンの外面に水密的に締着されるため、内部に中詰材が充填されて膨出した筒状本体と、所定の弛みを持って他方のケーソンの外面に水密的に締着された連結止水板部とが、目地を二重にシールすると共に、地震等による目地の急激な開きに対しては連結止水板部が伸展することで対応してシール状態を保つと共に筒状本体の追随を促すため、遮水状態を維持することができるものである。
【００１７】
更に、請求項３の係る発明のケーソンの目地シール材によれば、連結止水板部と他方のケーソンとの間に介在する緩衝部材が、連結止水板部を弛ませて変形代を確保すると共に、ケーソンの相対変位時に連結止水板部がケーソンと接触することによる破損を防ぐことができる。
【発明を実施するための最良の形態】
【００１８】
以下、添付図面を参照して本発明を実施するための最良の形態について説明する。  
図１は本発明に係るケーソンの目地シール材の一構成例の斜視図であり、図２はその目地シール材を適用したケーソンの目地部の斜視図である。
【００１９】
目地シール材１０は、装着されるケーソン１，１′の高さと対応する長さで、筒状本体１１に、碇着部１２と連結止水板部１３とを備えている。筒状本体１１，碇着部１２及び連結止水板部１３は、何れも、耐老化性、耐海水性、耐候性、耐熱性を有する合成ゴムの板厚中央部分に合成繊維を介装した所定厚さのゴム板によって形成されている。
【００２０】
筒状本体１１は、断面形状楕円形の筒状体で、上端部は開放し下端部はゴムシートからなる底壁１１Ａで閉じられている。
【００２１】
底壁１１Ａは、図１中想像線で示すように、紡錘状に下側に突出して形成されており、それが破線で示すように筒状本体１１の内部に折り込まれた状態でケーソン１，１′に装着され、後述するように筒状本体１１の内部に中詰材４が充填されるとこの底壁１１Ａが地盤の凹凸に対応して密着するようになっているものである。
【００２２】
碇着部１２は、筒状本体１１の左右両側に所定幅で突出しており、これは、筒状本体１１の長径より幅広のゴム板が、筒状本体１１に一体加硫によって所定の幅で固着されることで形成されている。
【００２３】
連結止水板部１３は、筒状本体１１のその中心を挟んで碇着部１２とは対称位置に一方側方に所定幅で突出しており、これは、所定幅のゴム板をその端縁で筒状本体１１に一体加硫によって固着して形成されている。その筒状本体１１とは逆側の面の所定位置には、緩衝部材としての所定長さの緩衝材１４が当該目地シール材１０の長手方向に所定間隔で接着されている。この緩衝材１４は、連結止水板部１３のケーソン１′への装着時に所定の弛みを持たせると共にケーソン１′との接触擦れによる破損を防ぐためのものである。
【００２４】
上記のごとき目地シール材１０は、図２及び装着状態の平面図である図４に示すように、一方のケーソン１の外面１Ｂに近い端面１Ａに、その稜線に沿って鉛直に碇着部１２で水密的に締着固定されると共に、連結止水板部１３の先端縁が他方のケーソン１′の側面１Ｂ′に水密的に締着固定されて、目地部２に装着される。
【００２５】
即ち、予めケーソン１の端面１Ａに植設されて当該碇着部１２に貫通するアンカーボルト２１に螺合したナット２２によって、押さえ板２３を介してケーソン１の端面１Ａに締着され、また、連結止水板部１３も同様に、ケーソン１′の側面１Ｂ′に植設されて当該連結止水板部１３を貫通するアンカーボルト３１に螺合したナット３２によって、押さえ板３３を介してケーソン１′の側面１Ｂ′に締着されるものである。尚、当該目地シール材１０は、碇着部１２でケーソン１に予め固定され、連結止水板部１３のケーソン１′への固定はそのケーソン１′が沈設された後に行われる。ケーソン１′の側面１Ｂ′に埋め込まれて連結止水板部１３を固定するアンカーボルト３１は、予め植設しておいても良いが、連結止水板部１３の固定孔との位置が合致しない虞があるために沈設後に植設するのがより好ましい。
【００２６】
この目地シール材１０が目地部２に装着された状態では、連結止水板部１３とケーソン１′の端面１Ａ′との間には、緩衝材１４が介在し、これによって連結止水板１３はケーソン１′の側端稜線１Ｃ′の近傍で所定の弛みを生じて固定される。尚、ケーソン１′の側端稜線１Ｃ′は、連結止水板部１３の接触による破損を予防するために、図中に示すように所定の半径の円弧状に面取りしておくことが好ましい。
【００２７】
そして、筒状本体１１の内部にアスファルトマスチック等の中詰材４が充填されることで膨出し、その外面がケーソン１，１′の端面１Ａ，１Ａ′にそれぞれ圧着して目地部２を水密的にシールする。また、連結止水板部１３もシールとして機能し、従って、二重のシール構造となる。
【００２８】
このような目地シール材１０は、ケーソン１とケーソン１′の間の目地部２の目地内の両外面近傍にそれぞれ固定され、図２に示すようにそれら二本の目地シール材１０（一方は図示せず）の間にアスファルトマスチック等の間詰材３が充填されて不透水層が形成されるものである。目地シール材１０の下端部は、図２中想像線で示すように、砂，砂利，砂袋等の埋設材１５によって所定の深さに埋設される。尚、図３に示すように、連結止水板部１３の下端の屈曲方向外側にフランジ１１Ｂを設け、このフランジ１１Ｂを埋設材１５によって押さえるようにしても良く、そうすることでより確実な地盤との間の遮水が可能となる。図示フランジ１１Ｂには、所々にスリット１１Ｃが形成されると共にそのスリット１１Ｃがその裏面に余裕を持って貼り付けられたゴム板１１Ｄによって閉塞されて、連結止水板部１３の屈曲を許容するようになっているものである。
【００２９】
上記のごとく構成された目地シール材１０では、所定の弛みを持って装着された連結止水板部１３によってケーソン１，１′の間（目地部２）が結合されている（目地部２が閉塞されている）ため、地震等によってケーソン１，１′が急激に相対変位した場合でも、この連結止水板部１３によって遮水状態を維持することができる。
【００３０】
即ち、ケーソン１，１′が離間する変位（目地部２が開く変位）には、図５に示すように連結止水板部１３の弛みが伸展して遮水状態を維持する。この時、連結止水板部１３は筒状本体１１を引っ張って目地部２の開きに追従させるようにも作用する。
【００３１】
また、ケーソン１に対してケーソン１′が外側に移動する相対変位には図６に示すように連結止水板部１３の弛みが伸展し、更に、ケーソン１がケーソン１′に対して外側に相対変位する変位には図７に示すように弛みが増大し、何れにしても遮水状態を維持することができる。
【００３２】
このように、連結止水板部１３によって遮水状態を維持している間に、図５中に想像線で示すように筒状本体１１を膨出させて、当該筒状本体１１による本来の遮水状態を回復させることができるものである。
【００３３】
尚、本願発明は上記構成例に限るものではなく、材質やケーソンへの締着構造等は適宜変更可能なものである。
【００３４】
また、図８に平面図を示す目地シール材１０′のように、連結止水板部１３′を筒状本体１１の碇着部１２と同じ側（碇着部１２の一方の基部）から延設するように構成しても良く、更に、図９に平面図を示す目地シール材１０″のように、一方の碇着部１２を延長して連結止水板部１３″として構成しても良いものである。
【図面の簡単な説明】
【００３５】
【図１】本発明に係るケーソンの目地シール材の一構成例の斜視図である。
【図２】その目地シール材を適用したケーソンの目地部の斜視図である。
【図３】目地シール材の装着状態の斜視図である。
【図４】目地シール材の装着状態の平面図である。
【図５】目地シール材の作用説明図である。
【図６】目地シール材の作用説明図である。
【図７】目地シール材の作用説明図である。
【図８】他の構成例の目地シール材の装着状態の平面図である。
【図９】他の構成例の目地シール材の装着状態の平面図である。
【符号の説明】
【００３６】
１，  １′  ケーソン
２  目地部
４  中詰材
１Ａ，１Ａ′  端面
１Ｂ，１Ｂ′  外面
１０，１０′，１０″  目地シール材
１１  筒状本体
１２  碇着部
１３，１３′，１３″  連結止水板部
【図１】
2005200826.tif 000003
【図２】
2005200826.tif 000004
【図３】
2005200826.tif 000005
【図４】
2005200826.tif 000006
【図５】
2005200826.tif 000007
【図６】
2005200826.tif 000008
【図７】
2005200826.tif 000009
【図８】
2005200826.tif 000010
【図９】
2005200826.tif 000011